(57)【特許請求の範囲】
【請求項１】
冷凍室および冷蔵室を有する貯蔵室と、
前記貯蔵室に供給される冷気を冷却する冷却器と、
前記冷却器が配設され、前記冷気が通過する送風口が形成される冷却室と、
前記送風口に設けられ、前記冷気を前記貯蔵室に向けて送風する送風機と、
仕切壁を介して前記冷却室と区画され、前記送風機で送風された前記冷気が前記送風口を介して流入する送風室と、
前記送風室の側方に縦長の風路として形成され、前記送風室から前記冷蔵室に送風される前記冷気が流通し、上端側が流通口を介して前記送風室と連通し、下端側が前記冷蔵室に連通する送風路と、
前記送風路と前記送風室とを区画するように、上下方向に伸びる第１壁部と、
上端側が前記流通口側の前記第１壁部の端部側と連続し、下端側が前記送風機に接近する第２壁部と、
前記第１壁部と同一直線上に配置され、上下方向に伸びる第３壁部と、を備え、
前記第３壁部と前記第１壁部との間であって、前記送風口の側方に、前記流通口が形成され、
前記送風路の上端は前記送風口の上端よりも上方に配置され、且つ、前記送風路の下端は前記送風口の下端よりも下方に配置され、
前記送風機により送風された前記冷気は、前記送風室の内部を前記第２壁部に沿って上方に向かって流動し、前記流通口を介して前記送風路に流入し、前記送風路の内部を下方に向かって流動した後に、前記冷蔵室に供給されることを特徴とする冷蔵庫。
【請求項２】
前記第３壁部の外側の端部は、前記仕切壁の周辺部に沿って配置された第４壁部に連続することを特徴とする請求項１に記載の冷蔵庫。
【請求項３】
前記第２壁部は、外側に膨らむように湾曲することを特徴とする請求項１または請求項２に記載の冷蔵庫。
【発明の詳細な説明】
【技術分野】
【０００１】
本発明は、貯蔵室内に食品等を冷却保存する冷蔵庫に関し、特に、複数の貯蔵室を一つの冷却器で高効率に冷却することができる冷蔵庫に関する。
【背景技術】
【０００２】
従来、例えば冷蔵室や冷凍室等の保冷温度の異なる複数の貯蔵室に、一つの冷却器で冷却された冷気を供給する冷蔵庫が知られている。特許文献１や特許文献２では、冷却器を収納する冷却室の送風口に送風機を設け、その送風機で送り出された冷気を分岐して冷蔵室及び冷凍室に夫々供給している。
【０００３】
また、特許文献３に記載された冷蔵庫では、上段に配置された貯蔵室の後方に冷却器を配置し、この冷却器で上段に配置された貯蔵室に加えて、下段の貯蔵室も冷却している。具体的には、図７を参照して、この図に示す冷蔵庫１００では、上方から、冷凍室１０１、冷蔵室１０２が貯蔵室として形成されており、上段の冷凍室１０１の後方に冷却室１０３が配置されている。冷却室１０３に内蔵された冷却器１０４で冷却された冷気は、冷却器１０４の上方に配置された送風機１０５で送風されることで、冷凍室１０１に供給される。また、冷凍室１０１に供給された冷気の一部は、供給風路１０７を経由して下段の冷蔵室１０２に送風される。また、冷蔵室１０２を冷却した冷気はその後、帰還風路１０６を経由して冷却室１０３に戻される。これにより、一つの冷却器１０４で、冷凍室１０１および冷蔵室１０２の両方が冷却される。
【先行技術文献】
【特許文献】
【０００４】
【特許文献１】特許第４７３９９２６号公報
【特許文献２】特開２０１３−２６６４号公報
【特許文献３】特開２００５−２１４６２０号公報
【発明の概要】
【発明が解決しようとする課題】
【０００５】
しかしながら、上記した冷蔵庫１００では、冷蔵室１０２を適切な温度に冷却することが困難な場合があった。具体的には、上記したように、冷却器１０４で冷却された冷気の一部は、送風機１０５で送風されることで、供給風路１０７を経由して冷蔵室１０２に供給される。しかしながら、供給風路１０７を経由して冷蔵室１０２に供給される冷気の風量が多すぎると、冷蔵室１０２が過度に冷却されてしまい、冷蔵室１０２に貯蔵された食品等が痛んでしまう課題があった。また、冷蔵室１０２の内部で着霜が発生し、冷気の送風が阻害されたり、冷却効率が低下してしまう恐れも有る。
【０００６】
また、冷蔵室１０２に供給される冷気の量を調整するために、供給風路１０７の途中にダンバー等の風量調整手段を介装すると、冷蔵庫１００の構造が複雑になり、全体的なコストが増大してしまう課題があった。
【０００７】
本発明は、上記の事情に鑑みてなされたものであり、その目的とするところは、一つの冷却器で複数の貯蔵室を冷却すると共に、冷気の送風量が適切に調節された冷蔵庫を提供することにある。
【課題を解決するための手段】
【０００８】
本発明の冷蔵庫は、冷凍室および冷蔵室を有する貯蔵室と、前記貯蔵室に供給される冷気を冷却する冷却器と、前記冷却器が配設され、前記冷気が通過する送風口が形成される冷却室と、前記送風口に設けられ、前記冷気を前記貯蔵室に向けて送風する送風機と、仕切壁を介して前記冷却室と区画され、前記送風機で送風された前記冷気が前記送風口を介して流入する送風室と、前記送風室の側方に縦長の風路として形成され、前記送風室から前記冷蔵室に送風される前記冷気が流通し、上端側が流通口を介して前記送風室と連通し、下端側が前記冷蔵室に連通する送風路と、前記送風路と前記送風室とを区画するように、上下方向に伸びる第１壁部と、上端側が前記流通口側の前記第１壁部の端部側と連続し、下端側が前記送風機に接近する第２壁部と、前記第１壁部と同一直線上に配置され、上下方向に伸びる第３壁部と、を備え、前記第３壁部と前記第１壁部との間であって、前記送風口の側方に、前記流通口が形成され、前記送風路の上端は前記送風口の上端よりも上方に配置され、且つ、前記送風路の下端は前記送風口の下端よりも下方に配置され、前記送風機により送風された前記冷気は、前記送風室の内部を前記第２壁部に沿って上方に向かって流動し、前記流通口を介して前記送風路に流入し、前記送風路の内部を下方に向かって流動した後に、前記冷蔵室に供給されることを特徴とする。
【００１０】
更に、本発明の冷蔵庫は、前記第３壁部の外側の端部は、前記仕切壁の周辺部に沿って配置された第４壁部に連続することを特徴とする。
【００１２】
更に、本発明の冷蔵庫は、前記第２壁部は、外側に膨らむように湾曲することを特徴とする。
【発明の効果】
【００１４】
本発明の冷蔵庫は、冷凍室および冷蔵室を有する貯蔵室と、前記貯蔵室に供給される冷気を冷却する冷却器と、前記冷却器が配設され、前記冷気が通過する送風口が形成される冷却室と、前記送風口に設けられ、前記冷気を前記貯蔵室に向けて送風する送風機と、仕切壁を介して前記冷却室と区画され、前記送風機で送風された前記冷気が前記送風口を介して流入する送風室と、前記送風室の側方に縦長の風路として形成され、前記送風室から前記冷蔵室に送風される前記冷気が流通し、上端側が流通口を介して前記送風室と連通し、下端側が前記冷蔵室に連通する送風路と、前記送風路と前記送風室とを区画するように、上下方向に伸びる第１壁部と、上端側が前記流通口側の前記第１壁部の端部側と連続し、下端側が前記送風機に接近する第２壁部と、前記第１壁部と同一直線上に配置され、上下方向に伸びる第３壁部と、を備え、前記第３壁部と前記第１壁部との間であって、前記送風口の側方に、前記流通口が形成され、前記送風路の上端は前記送風口の上端よりも上方に配置され、且つ、前記送風路の下端は前記送風口の下端よりも下方に配置され、前記送風機により送風された前記冷気は、前記送風室の内部を前記第２壁部に沿って上方に向かって流動し、前記流通口を介して前記送風路に流入し、前記送風路の内部を下方に向かって流動した後に、前記冷蔵室に供給されることを特徴とする。従って、送風機で送風される冷気は、第２壁部に沿って流通口に向かって送風されるが、第１壁部に向かって伸びる第３壁部を形成することで流通口の幅が狭まるので、この流通口を通過する冷気の量を制限することが出来る。よって、流通口を経由する冷気が供給される貯蔵室が過度に冷却されることが抑止される。また、流通口に向かって送風される冷気の一部は、第３壁部で遮られることにより、流通口への進入が規制される。このことによっても、冷気の送風量が適度に抑制され、冷気が送風される貯蔵室が過度に冷却されることが抑止される。
【００１６】
更に、本発明の冷蔵庫は、前記第３壁部の外側の端部は、前記仕切壁の周辺部に沿って配置された第４壁部に連続することを特徴とする。従って、第４壁部に沿って冷気が導かれるように成り、冷気を良好に貯蔵室に送風することが可能となる。
【００１８】
更に、本発明の冷蔵庫は、前記第２壁部は、外側に膨らむように湾曲することを特徴とする。従って、第２壁部の湾曲形状に沿って冷気が流通口に向かって進行するように成り、流通口を経由して良好に冷気を貯蔵室に供給できるようになる。
【図面の簡単な説明】
【００２０】
【図１】本発明の実施形態に係る冷蔵庫の側面断面図である。
【図２】本発明の実施形態に係る冷蔵庫を示す図であり、（Ａ）は冷気の風路を示す正面図であり、（Ｂ）は各貯蔵室など切開して示す斜視図である。
【図３】本発明の実施形態に係る冷蔵庫を示す図であり、仕切壁に設けられる壁部を示す正面図である。
【図４】本発明の実施形態に係る冷蔵庫を示す図であり、仕切壁に設けられる壁部を示す斜視図である。
【図５】比較例を示す図であり、（Ａ）および（Ｂ）は、比較例の仕切壁を示す斜視図である。
【図６】比較例を示す図であり、（Ａ）は比較例の仕切壁を示す斜視図であり、（Ｂ）はその平面図である。
【図７】背景技術にかかる冷蔵庫を示す側面断面図である。
【発明を実施するための形態】
【００２１】
以下、本発明の実施形態に係る冷蔵庫１０を図面に基づき詳細に説明する。以下の説明では、上下前後左右の各方向を適宜用いるが、左右とは冷蔵庫１０を前方から見た場合の左右を示す。
【００２２】
図１は、本発明の実施形態に係る冷蔵庫１０の概略構造を示す側面断面図である。図１に示すように、冷蔵庫１０は、本体としての断熱箱体１１を備え、この断熱箱体１１の内部に食品等を貯蔵する貯蔵室が形成されている。この貯蔵室として、具体的には、上段から、冷凍室１７および冷蔵室１８が形成されている。この図では、冷気が送風される方向を矢印で示しており、かかる事項は他の図でも同様である。
【００２３】
断熱箱体１１の前面は開口しており、各貯蔵室に対応した前記開口には、各々断熱扉１５、１６が開閉自在に設けられている。断熱扉１５は、冷凍室１７の開口を前方から閉鎖し、例えば、右端の上下端部が回転自在に断熱箱体１１により支持されている。同様に、断熱扉１６は、冷蔵室１８の開口を前方から閉鎖し、例えば、右端の上下端部が回転自在に断熱箱体１１により支持されている。
【００２４】
冷蔵庫１０の本体である断熱箱体１１は、前面が開口する鋼板製の外箱１２と、この外箱１２内に間隙を持たせて配設され、前面が開口する合成樹脂製の内箱１３とから構成されている。外箱１２と内箱１３との間隙には、発泡ポリウレタン製の断熱材１４が充填発泡されている。尚、各断熱扉１５、１６も、断熱箱体１１と同様の断熱構造を採用している。
【００２５】
冷凍室１７と、その下段に位置する冷蔵室１８との間は、断熱仕切壁４６によって仕切られている。断熱仕切壁４６も、上記した断熱箱体１１と同様に、断熱構造を有している。
【００２６】
冷凍室１７の後方には、合成樹脂製の仕切壁２１で区画され、冷凍室１７および冷蔵室１８に供給される冷気が一旦流入する送風室２９が形成されている。また、仕切壁２１の上部には、冷凍室１７に供給される冷気が通過する吹出口２５が形成されている。そして、仕切壁２１の下部には、冷凍室１７から冷却室２０に戻される冷気が通過する吸込口４８が形成されている。
【００２７】
冷凍室１７の後方には、送風室２９に流入した冷気の一部を下段の冷蔵室１８へと流す送風路４３が形成されている。本形態では、送風室２９と送風路４３とは樹脂製の壁部で区切られているが、かかる事項は図３等を参照して後述する。
【００２８】
送風室２９の後方には、冷却室２０が形成されており、送風室２９と冷却室２０とは、合成樹脂板からなる仕切壁２２で仕切られている。冷却室２０の内部には、庫内を循環する空気を冷却するための蒸発器である冷却器１９が配置されている。また、仕切壁２２の上部を部分的に開口して送風口４４が形成されており、送風口４４には、例えば軸流送風機である送風機２８が配置されている。
【００２９】
断熱仕切壁４６の後方には、上記した送風路４３を通過した冷気を、冷蔵室１８側に供給するための送風路２３が形成されている。また、冷蔵室１８の奥側を、合成樹脂製の仕切壁４７で仕切ることで、送風路２４が形成されている。この仕切壁４７を開口することで、冷気を冷蔵室１８に供給するための吹出口２６が形成されている。また、断熱仕切壁４６の内部には、冷蔵室１８と冷却室２０とを連通させる帰還風路５１が形成されており、冷蔵室１８に送風された冷気は、帰還風路５１を経由して冷却室２０に戻される。
【００３０】
本形態では、冷却器１９で冷却された冷気を冷蔵室１８まで送風する風路に、冷気の供給を遮断するダンパー等が介装されていない。よって、送風機２８で冷蔵室１８側に送風される冷気が過大に成り、冷蔵室１８の温度が低下しすぎる恐れがある。本形態では、図３を参照して後述するように、冷気が送風される風路の途中で、流通口４５の開口面積を小さくすることで、冷蔵室１８に供給される冷気の量を適度に調整している。
【００３１】
冷却器１９は、圧縮機２７、図示しない放熱器、図示しないキャピラリーチューブである膨張弁に、冷媒配管を介して接続されており、蒸気圧縮式の冷凍サイクル回路を構成するものである。
【００３２】
また、冷蔵庫１０は、図示しない制御装置を備えており、この制御装置は、センサ類からの入力値を基に所定の演算処理を実行し、圧縮機２７、送風機２８等の各構成機器を制御する。
【００３３】
図２を参照して、上記した冷蔵庫１０において冷気が供給される風路を説明する。図２（Ａ）は冷蔵庫１０に形成される風路を示す正面図であり、図２（Ｂ）は冷蔵庫１０の内部構造を切断して示す斜視図である。
【００３４】
これらの図を参照して、冷却室２０の内部において冷却器１９で冷却された冷気は、送風機２８が回転して送風することで、先ず送風室２９に送られる。送風室２９に送られた冷気の一部は、仕切壁２１に設けられた吹出口２５を経由して冷凍室１７に供給される。
【００３５】
一方、送風室２９に供給された冷気の一部は、流通口４５を経由して、送風路４３に送風される。その後、その冷気は、送風路２３、２４を経由して、吹出口２６から、冷蔵室１８に供給される。
【００３６】
また、上記した冷凍室１７および冷蔵室１８に供給された冷気は、後述する帰還風路等を経由して冷却室２０に戻り、冷却器１９で再び冷却された後に、送風機２８で各貯蔵室に送風される。
【００３７】
図３を参照して、次に、上記した送風室２９および送風路４３の構成を詳述する。この図は、図１に示した冷凍室１７の後方に配置される仕切壁２１、２２を、前方から見た場合を示しており、仕切壁２２およびそこに形成される壁部３２等を太い点線で示している。また、仕切壁２２の前方に配置される仕切壁２１は実線で示している。
【００３８】
仕切壁２２は、矩形形状を呈する主面部３１と、主面部３１の外周縁部から前方に突出する側面部３０とを有しており、側面部３０の内部に、側面部３０で囲まれる空間を区画する壁部３２等が形成されている。側面部３０および壁部３２等の前後方向に於ける高さは略同一である。
【００３９】
ここで、壁部３２等は仕切壁２２の主面部３１から前方に向かって壁状に突出しており、壁部３２等の前方の端部は仕切壁２１の後面に当接している。かかる構成により、仕切壁２１と仕切壁２２の間の空間は、壁部３２等により、送風室２９や送風路４３に区画される。
【００４０】
壁部３２は、送風機２８から送風された冷気が通過する送風路４３を区画する第１壁部として機能している。壁部３２は、仕切壁２２の下端から流通口４５に至るまで、連続して直線的に形成されている。冷気は送風路４３を経由して冷蔵室１８に供給されるが、送風室２９の側方で送風路４３を壁部３２で区切ることで、冷蔵室１８に冷気が到達するまでの距離が長くなり、冷蔵室１８に流入する冷気の風量が安定化する。
【００４１】
壁部３３は、その上端が壁部３２の流通口４５側の端部と連続し、その下端が送風機２８側に接近する第２壁部である。また、壁部３３の中間部分は、外側に膨らむように湾曲している。壁部３３を設けることにより、送風機２８で送風されて右方に進行する冷気は壁部３３に沿って上方に向きを変え、流通口４５に向かって進行するようになる。
【００４２】
壁部３４は、仕切壁２２の周辺部から、上記した壁部３２に向かって下方に直線状に伸びる第３壁部である。壁部３４と壁部３２とは、同一直線上に配置されている。壁部３４の上端部は壁部３５の途中部分と連続し、壁部３４の下端部は壁部３２の上端部に接近している。送風室２９と送風路４３とを連通する流通口４５は、壁部３４と壁部３２との間隙として形成される。このような形状の壁部３４を形成することで、送風室２９から送風路４３に送風される冷気の量を調節し、送風路４３を経由して冷気が供給される冷蔵室１８の温度が低下しすぎることが抑止される。壁部３４を形成することで奏される効果は、図４を参照して後述する。
【００４３】
壁部３５は、仕切壁２２の上部右端側に形成された第４壁部であり、その両端部は側面部３０に接続している。壁部３５の左方部分は、水平に延在して送風室２９側に露出している。また、壁部３５の右方部分は、右側に向かって下方に湾曲する湾曲形状を呈しており、送風路４３側に露出している。かかる形状の壁部３５を設けることで、流通口４５を経由して、送風口４４に流入した冷気は、湾曲形状を呈する壁部３４に沿って下方に向かって案内されるようになる。
【００４４】
壁部３６は、仕切壁２２の左方上端付近に形成されており、その上方部分は上下方向に直線的に伸び、その下方部分は下方に向かって外側に湾曲する湾曲形状を呈している。また、壁部３６の両端部は、側面部３０に連続している。かかる形状の壁部３６を形成することで、湾曲する壁部３６に沿って冷気が流れるようになり、送風室２９の内部に於ける冷気の流通が良好になる。
【００４５】
壁部３７は、仕切壁２２の左方端部から、仕切壁２２の下方端部まで連続して延在しており、その中間部は送風室２９の左右方向における中央部分に配置されている。また、壁部３８は、その上端部は上記した壁部３３の下端と連続し、その下端は仕切壁２２の下方端部まで延在している。また、仕切壁２２の下部付近では、壁部３７および壁部３８で左右方向から挟まれる導水路５２が形成されている。使用状況下にて送風室２９の内部で発生した水は、この導水路５２を経由して、蒸発皿まで導かれる。
【００４６】
仕切壁２２の下端左方には、壁部３９、３７および側面部３０に囲まれた帰還室５３が形成されている。また、仕切壁２２の下端右方には、壁部４０、３８、３２および側面部３０に囲まれた帰還室５４が形成されている。帰還室５３、５４を前方から塞ぐ部分の仕切壁２１には、吸込口４８が形成されている。使用状況下では、冷凍室１７内の冷気は、吸込口４８を経由して帰還室５３、５４に流入した後に、冷却室２０に戻される。
【００４７】
また、送風室２９は、上記した壁部３５、３３、３８、３７、３６で囲まれている。かかる構成により、送風室２９の外周縁部の形状が円形状に近づくので、送風室２９の内部に於ける冷気の流通が良好になる。また、送風室２９を被覆する部分の仕切壁２１を開口することで上記した吹出口２５が形成されている。
【００４８】
図４を参照して、上記した壁部３４を設けることにより奏される効果を説明する。この図は、仕切壁２２の上方右端付近を部分的に示す斜視図である。この図を参照して、送風口４４の内部に配置された不図示の送風機２８が回転することで、冷気を送風すると、送風された冷気は先ず送風室２９に送風される。
【００４９】
送風室２９に流入した冷気は、送風室２９の内部に於いて、送風機２８から周囲の方に向かって送風される。送風機２８から右方に向かって送風された冷気は、上記のように湾曲する壁部３３に沿って上方に向かって進行する。壁部３３に沿って上昇した冷気の一部は、流通口４５を通過し、送風路４３に送風される。送風路４３に流入した冷気は、送風路４３の内部を下方に向かって進行した後に、冷蔵室１８に導入される。
【００５０】
本形態では、上記したように、流通口４５は、上方に向かっての伸びる壁部３２と、下方に向かって伸びる壁部３４の間隙として形成されている。よって、壁部３４を形成して流通口４５の縦方向の幅を狭めることで、送風口４４に流入する冷気の量を少なくし、送風口４４を経由して冷気が供給される冷蔵室１８の温度を正常にすることが出来る。
【００５１】
また、送風室２９内部に於いて壁部３３に沿って上昇した冷気の一部は、壁部３４によってその進行か遮られ、送風路４３に流入せず、送風室２９側に押し戻される。壁部３４のこのような作用によっても、送風路４３に流入する冷気の量が抑制され、冷蔵室１８の過度な冷却が抑制される。
【００５２】
図５を参照して、上記した本形態の効果を示すための比較例を説明する。図５（Ａ）および図５（Ｂ）は、比較例に於ける仕切壁２２の右方上端付近を部分的に示す斜視図である。
【００５３】
図５（Ａ）に示す比較例では、図４に示した壁部３４が形成されていない。よって、流通口４５が上下方向に大きくなるので、送風機２８から送風室２９に冷気が送風されると、断面積が大きい流通口４５を経由して、比較的多量の冷気が送風路４３に流入するようになる。このようになると、流通口４５を経由して、必要以上の量の冷気が冷蔵室１８に供給され、冷蔵室１８が冷えすぎる等の恐れがある。
【００５４】
図５（Ｂ）を参照して、上記した壁部３４を形成せず、壁部３２を上方に伸ばすことにより、流通口４５を狭くした場合に関して説明する。この場合、流通口４５が狭くされているので、送風機２８が回転することで送風室２９に冷気が送風されても、流通口４５を経由して送風路４３に流入する冷気の量は少なくなるようにも思われる。しかしながら、上記した壁部３４が形成されておらず、流通口４５に向かって進行する冷気を阻む部材が無いので、流通口４５に向かって送風される冷気の量が少なくならない。このことから、流通口４５を経由して送風路４３に流入する冷気の量が過大に成り、送風路４３を経由して冷気が送風される冷蔵室１８が冷えすぎる問題が生じる。
【００５５】
図６を参照して、更なる他の形態を説明する。図６（Ａ）は他の形態の仕切壁２２を示す斜視図であり、図６（Ｂ）は他の形態の仕切壁２２を示す平面図である。
【００５６】
図６（Ａ）を参照して、冷蔵室１８に供給される冷気の量を少なくするべく流通口４５を小さくする方法として、流通口４５の上方に形成される壁部３４を下方に移動させるという構成が考えられる。この構成であれば、壁部３２と壁部３４との間に形成される流通口４５の縦方向の幅が小さくなるので、流通口４５を経由して送風路４３に送風される冷気の量を制限し、冷蔵室１８が冷えすぎることを抑止できるとも考えられる。
【００５７】
しかしながら、図６（Ｂ）を参照して、上記のように壁部３５を下方に移動させると、他の部材との関連で問題が生じる。即ち、壁部３５を下方に移動させると、壁部３５の中間部分が、吹出口２５の上端よりも下方に配置されるように成る。ここでは、壁部３５が吹出口２５の上端よりも下方に配置される部分を点線の楕円で囲んでいる。このようになると、壁部３５よりも上方に配置される部分の吹出口２５が、送風室２９と連通しないように成り、この部分の吹出口２５から冷気が冷凍室１７に供給されず、冷凍室１７に供給される冷風の量が不足してしまう恐れがある。
【００５８】
上記のことから、冷蔵庫１０の他部材との兼ね合いを最適化しつつ、冷凍室１７に供給される冷気の量を適切に制御するためには、図４に示すように、送風路４３を区画する壁部３２の上方に壁部３４を形成することが最適であることが明らかとなった。
【００５９】
次に、図１から図４を再び参照して、以上説明の構成を備えた冷蔵庫１０の動作について説明する。
【００６０】
本形態では、図２に示すように、冷蔵室１８に温度センサ５０が配置されており、その温度センサ５０で計測される冷蔵室１８の内部温度が、所定の温度よりも高くなったら、制御手段の指示に基づいて、冷却動作が行われる。即ち、制御手段は、圧縮機２７を含む冷凍サイクルを動作させ、送風機２８を回転させ、冷凍室１７および冷蔵室１８の両方に対して冷気を送風する。
【００６１】
先ず、図１を参照して、冷凍室１７の冷却について説明する。冷却器１９によって冷却された空気は、冷却室２０の送風口４４、送風機２８、送風室２９、吹出口２５を経由して、冷凍室１７に供給される。これより、冷凍室１７は所定温度に冷却される。また、冷凍室１７を冷却した冷気は、仕切壁の下部に形成された吸込口４８、図３に示す帰還室５３，５４を経由して、冷却室２０に戻される。
【００６２】
次に、図１を参照して、冷蔵室１８の冷却について説明する。冷却器１９によって冷却された空気は、冷却室２０の送風口４４、送風機２８、送風室２９、送風路４３、２３、２４を経由して、吹出口２６から冷蔵室１８に送風される。これより、冷蔵室１８は所定温度に冷却される。また、冷蔵室１８を冷却した冷気は、断熱仕切壁４６に設けた帰還風路５１を経由して、冷却室２０に返送される。
【００６３】
本形態では、図３を参照して上記したように、送風室２９と送風路４３との間に壁部３４を設け、壁部３４と壁部３２との間隙として形成される流通口４５から、送風路４３に冷気を流入させている。よって、壁部３４を設けることで、流通口４５の幅が狭くなり、且つ流通口４５に向かう冷気の進行が部分的に遮られるので、送風路４３に送風される冷気の量が適度に制限され、冷蔵室１８が過度に冷却されることが抑制される。よって、冷蔵室１８内の温度は、冷蔵室１８に貯蔵される食品等の貯蔵物を冷蔵保存するために適切な温度とされる。
【００６４】
上記のように、冷却器１９で冷却された冷気を冷凍室１７および冷蔵室１８に供給することで、温度センサ５０で計測される温度が所定以下になったら、制御手段は、圧縮機２７と送風機２８を停止する。
【００６５】
次に、図１を参照して、除霜運転時の動作について説明する。冷却運転を継続すると、冷却器１９の空気側伝熱面に霜が付着し、伝熱を妨げ、空気流路を塞ぐことになる。そこで、冷媒蒸発温度の低下等から着霜を判断し、或いは除霜タイマー等によって判断し、冷却器１９に付着した霜を取るための除霜冷却運転または除霜運転を開始する。
【００６６】
具体的には、圧縮機２７を停止し、冷却器１９の下方に配置された図示しない除霜ヒータに通電し、冷却器１９に付着した霜を融かす。この際、送風機２８は回転していない。これにより、除霜ヒータによって暖められた冷却室２０内の空気で、冷却器１９の表面に付着した霜が溶融する。
【００６７】
冷却器１９の霜取りが完了すると、制御手段は、除霜ヒータの通電を止め、圧縮機２７を起動し、送風機２８を回転させることで、冷凍回路による冷却を開始する。
【００６８】
以上が本形態の冷蔵庫１０の動作に関する説明である。
【００６９】
本発明は、上記実施形態に限定されるものではなく、その他、本発明の要旨を逸脱しない範囲で、種々の変更実施が可能である。
【符号の説明】
【００７０】
１０   冷蔵庫
１１   断熱箱体
１２   外箱
１３   内箱
１４   断熱材
１５   断熱扉
１６   断熱扉
１７   冷凍室
１８   冷蔵室
１９   冷却器
２０   冷却室
２１   仕切壁
２２   仕切壁
２３   送風路
２４   送風路
２５   吹出口
２６   吹出口
２７   圧縮機
２８   送風機
２９   送風室
３０   側面部
３１   主面部
３２   壁部
３３   壁部
３４   壁部
３５   壁部
３６   壁部
３７   壁部
３８   壁部
３９   壁部
４０   壁部
４１   壁部
４２   壁部
４３   送風路
４４   送風口
４５   流通口
４６   断熱仕切壁
４７   仕切壁
４８   吸込口
５０   温度センサ
５１   帰還風路
５２   導水路
５３   帰還室
５４   帰還室
１００ 冷蔵庫
１０１ 冷凍室
１０２ 冷蔵室
１０３ 冷却室
１０４ 冷却器
１０５ 送風機
１０６ 帰還風路
１０７ 供給風路
【図１】
0006709346.tif 000002
【図２】
0006709346.tif 000003
【図３】
0006709346.tif 000004
【図４】
0006709346.tif 000005
【図５】
0006709346.tif 000006
【図６】
0006709346.tif 000007
【図７】
0006709346.tif 000008